(57)【特許請求の範囲】
【請求項１】
並列に配置されている幾つかの冷却機／液化機（Ｌ／Ｒ）による同じ適用対象（１）の極低温冷却の為の設備であり、並列な幾つかの冷却機／液化機（Ｌ／Ｒ）は低モル質量を有している、即ち純粋なガス状ヘリウムの如き１０ｇ／モル以下の平均全体モル質量を有している、同じ性質の作業ガスを使用していて、個々の冷却機／液化機（Ｌ／Ｒ）は作業ガスを圧縮する為の圧縮部（２）を備えていて、冷却室（３）が圧縮部（２）から排出された作業ガスを、少なくともその液化温度に近い極低温へと冷却することを意図されていて、複数の冷却機／液化機（Ｌ／Ｒ）の複数の冷却室（３）の夫々により冷却された作業ガスが適用対象へと冷気を供給する為に適用対象（１）で熱交換され、そこにおいては冷却機／液化機（Ｌ／Ｒ）の全ての圧縮部が並列に配置されている複数の冷却機／液化機（Ｌ／Ｒ）の複数の個々に分離した冷却室（３）の夫々の為の作業ガスを圧縮している単一の圧縮部（２）を形成し、単一の圧縮部（２）が油潤滑されているスクリュー型の複数の圧縮機械（ＥＣ１，ＥＣ２，ＥＣ３）及び複数の圧縮機械（ＥＣ１，ＥＣ２，ＥＣ３）の出口で作業流体から油を除去する為の複数の油除去システム（４，１４）のみを備えていて、その結果として複数の圧縮機械（ＥＣ１，ＥＣ２，ＥＣ３）及び複数の油除去システム（４，１４）が並列に配置されている複数の冷却機／液化機（Ｌ／Ｒ）により共有されている、
極低温冷却の為の設備。
【請求項２】
前記単一の圧縮部（２）が、作業流体の為の幾つかの圧力水準（ＶＬＰ，ＬＰ，ＭＰ，ＨＰ，ＨＰ１，ＨＰ２）を規定している複数の圧縮機械（ＥＣ１，ＥＣ２，ＥＣ３）を備えている、ことを特徴とする請求項１に従っている極低温冷却の為の設備。
【請求項３】
１つの圧力水準（ＶＬＰ，ＬＰ，ＭＰ，ＨＰ，ＨＰ１，ＨＰ２）からより高い続きの圧力水準への通路は、１つ又はそれ以上の直列の圧縮機械（ＥＣ１，ＥＣ２，ＥＣ３）を介し又は並列に配置されている幾つかの圧縮機械（ＥＣ１，ＥＣ２，ＥＣ３）を介し達成されている、ことを特徴とする請求項２に従っている極低温冷却の為の設備。
【請求項４】
少なくとも１つの圧力水準（ＶＬＰ，ＬＰ，ＭＰ，ＨＰ，ＨＰ１，ＨＰ２）から続きのより高い圧力水準への通路は、並列に配置されている２つの圧縮機械（ＥＣ１，ＥＣ１２）を介して達成されていて、油除去システム（４，１４）が２つの圧縮機械（ＥＣ１，ＥＣ１２）の出口に配置されていて、油除去システムが、並列に配置されている２つの圧縮機械（ＥＣ１，ＥＣ１２）に共通の単一の油除去部材又は並列に配置されている２つの圧縮機械（ＥＣ１，ＥＣ１２）に夫々割り当てられている２つの油除去部材の何れかを備えている、ことを特徴とする請求項２又は３に従っている極低温冷却の為の設備。
【請求項５】
最後の圧縮水準の出口、即ち冷却室（３）へと流体を供給している流体連結の前、に配置された少なくとも１つの最後の油除去システム（１４）を備えている、ことを特徴とする請求項２乃至４の何れか１項に従っている極低温冷却の為の設備。
【請求項６】
１つの圧縮機械（ＥＣ１，ＥＣ２，ＥＣ３）の下流で作業流体を冷却する為の少なくとも１つの交換機（５）を備えている、ことを特徴とする請求項２乃至５の何れか１項に従っている極低温冷却の為の設備。
【請求項７】
圧縮部（２）の入口での流体の圧力水準（ＶＰＬ）以上の３つの増大している圧力水準（ＬＰ，ＭＰ，ＨＰ）を規定している３つの圧縮機械（ＥＣ１，ＥＣ２，ＥＣ３）を備えていて、第１（ＥＣ１）及び第２（ＥＣ２）の圧縮機械は直列に配置されているとともにそれ等の個々の流体出口での圧力水準を「低い」（ＬＰ）及び「高い」（ＨＰ）と規定していて、第３の圧縮機械（ＥＣ３）は複数の冷却室（３）から低い（ＬＰ）水準と高い（ＨＰ）水準との間の中間のいわゆる「中間」（ＭＰ）圧力水準で出される流体がその入口で供給されていて、第３の圧縮機械（ＥＣ３）はその流体出口ではまた「高い」（ＨＰ）圧力水準を規定している、ことを特徴とする請求項１乃至６の何れか１項に従っている極低温冷却の為の設備。
【請求項８】
第２の圧縮機械（ＥＣ２）と並列に配置されている第４の圧縮機械（ＥＣ１２）を備えていて、第４の圧縮機械（ＥＣ１２）の出口が第３の圧縮機械（ＥＣ３）の入口に連結されている、ことを特徴とする請求項７に従っている極低温冷却の為の設備。
【請求項９】
第３の圧縮機械（ＥＣ３）及び第２の圧縮機械（ＥＣ２）の出口が同じ高い圧力水準（ＨＰ）を規定している共通導管に連結されている、ことを特徴とする請求項７又は８に従っている極低温冷却の為の設備。
【請求項１０】
第３の圧縮機械（ＥＣ３）の出口及び第２の圧縮機械（ＥＣ２）の出口が、流体の為の個々の別の高い圧力水準（ＨＰ１，ＨＰ２）を規定している別の場所で少なくとも１つの冷却室（３）に連結されている、ことを特徴とする請求項７又は８に従っている極低温冷却の為の設備。
【請求項１１】
並列に配置されている幾つかの冷却機／液化機（Ｌ，Ｒ）を備えている冷却及び／又は液化設備により同じ適用対象（１）を冷却する為の方法であり、並列な複数の冷却機／液化機（Ｌ，Ｒ）は低モル質量を有している、即ち純粋なガス状ヘリウムの如き１０ｇ／モル以下の平均全体モル質量を有している、同じ性質の作業ガスを使用していて、個々の冷却機／液化機（Ｌ，Ｒ）は作業ガスを圧縮する為の圧縮部（２）を備えていて、個々の冷却室（３）が圧縮部（２）から排出された作業ガスを冷却することを意図されていて、作業ガスは、冷却室（３）からの排出でその液化温度に近い極低温にされていて、適用対象側へ排出され、複数の冷却機／液化機（Ｌ，Ｒ）の複数の冷却室（３）の夫々により冷却された作業ガスが適用対象へと冷気を供給する為に適用対象（１）で熱交換され、そこにおいては単一の圧縮部（２）が並列に配置されている複数の冷却機／液化機（Ｌ／Ｒ）の複数の個々に分離した冷却室（３）の夫々の為の作業ガスを圧縮し、単一の圧縮部（２）が油潤滑されているスクリュー型の複数の圧縮機械（ＥＣ１，ＥＣ２，ＥＣ３）及び複数の圧縮機械（ＥＣ１，ＥＣ２，ＥＣ３）から排出された作業流体から油を除去する為の複数のシステム（４，１４）のみを備えていて、その結果として複数の圧縮機械（ＥＣ１，ＥＣ２，ＥＣ３）及び複数の油除去システム（４，１４）が並列に配置されている複数の冷却機／液化機（Ｌ／Ｒ）により共有されている、
方法。
【請求項１２】
冷却される適用対象（１）の熱負荷が変動した時、前記設備の出力変動は共通の圧縮部（２）の複数の圧縮機の幾つかのみの態勢を変動させることにより達成される、ことを特徴とする請求項１１に従っている方法。
【発明の詳細な説明】
【技術分野】
【０００１】
この発明は、冷却設備及び方法に関係している。
【０００２】
この発明は、詳細には、非常に低い冷却温度（例えばヘリウムでは４．５Ｋ）を得る為に低モル質量を伴ったガス（例えば、水素又はヘリウム）が冷却流体として使用されている、低温冷却設備及び方法に関係している。３０Ｋ及びそれ以下の温度での冷却を得ることは、一般的には、ヘリウムの如き冷媒の使用を要求する。ヘリウムはループ又は回路の熱い端で圧縮され、そして次に、ループの冷たい部分（冷却室）において冷やされそして膨張される。冷媒の主要な部分は、圧縮段階において交換により加熱されているとともに循環されている。幾つかの適用対象においては、作業ガスの一部分が液化されて良い。
【背景技術】
【０００３】
ヘリウム液化／冷却サイクルの圧縮は、一般的に、油分離システムにより従われている油で潤滑されているスクリューを伴っている圧縮機械（圧縮機）の１つ又はそれ以上の段階を使用する。
【０００４】
幾つかの冷却器を有することが必要であるならば、個々の冷却器はそれ自身の圧縮部に連結されている。要求されている割合に従えば、個々の圧縮水準は並列に幾つかの圧縮機へと分割される。第１の油取扱い及び冷却システムは幾つかの圧縮機に対し共通であるか、又は個々の１つに対し専用にされている。
【０００５】
その圧縮及び油分離後に、要求されている温度水準を得る為に、低モル質量ガスが冷却室の極低温膨張タービンにおいて冷却され膨張される。冷却機／液化機の使用者により使用されない除去された熱は、次に、熱交換機においてそれを冷却する為に高圧力で作業流体へと伝達される。回路の低い及び中間の圧力の作業ガスは、圧縮機の吸入口へと戻る。
【０００６】
例えば２０ｋＷよりも大きく、４．５Ｋに匹敵する、大きな冷却システムの為には、冷却される同じ適用対象に対し並列に連結された幾つかの分離された冷却機を使用することが必要である。冷却される適用対象の変動する熱負荷は、圧縮部の複数の圧縮機上の出力に変動を引き起こす。圧縮部（装置，調整そして設備）のコストは、設備の全コストに比べて比較的高い。
【０００７】
（冷気を発生する）冷却サイクルは、個々の冷却機では通常「閉じられている」。即ち、冷却室に入る作業流体の循環出力は、この同じ冷却室から主に生じる。他方、これらのサイクル出力は、冷却される適用対象で「開かれている」又は組み合わされている（複数の冷却機により適用された作業流体出力は、冷却される適用対象の為に共有され、そして次には個々の分配システムを介して個々の冷却機に戻る）。
【０００８】
この発明の１つの目的は、上記の問題の全て又は幾つかを解決する、並列に配置されている幾つかの冷却機／液化機による適用対象の冷却方法及び設備を提案することである。詳細には、この発明の１つの目的は、知られているシステムよりも、より安く及び／又はよりコンパクト及び／又はより効率的及び／又は使用においてより柔軟である冷却方法及び設備を提供することである。
【発明の概要】
【０００９】
この目的の為に、同じ適用対象の冷却の為の設備は並列に配置されている幾つかの冷却機／液化機を備えていて、並列な幾つかの冷却機／液化機は低モル質量を有している、即ち純粋なガス状ヘリウムの如き１０ｇ／モル以下の平均全体モル質量を有している、同じ性質の作業ガスを使用しており、個々の冷却機／液化機は作業ガスを圧縮する為の圧縮部を備えていて、冷却室は圧縮部からの出口で作業ガスを冷却することを意図されていて、複数の冷却機／液化機の複数の冷却室の夫々により冷却された作業ガスが適用対象へと冷気を供給する為に適用対象で熱交換され、そこにおいては単一の圧縮部が並列に配置されている複数の冷却機／液化機の個々に分離されている複数の冷却室の夫々の為の作業ガスを圧縮し、単一の圧縮部が油潤滑されているスクリュー型の複数の圧縮機械及び複数の圧縮機械の出口で作業流体から油を除去する為の複数のシステムのみを備えていて、その結果として複数の圧縮機械及び複数の油除去システムが並列に配置されている複数の冷却機／液化機により共有されている。
【００１０】
この発明は、作業ガスを低温部からの出口でその液化温度に近い極低温へとされる。
【００１１】
さらに、この発明の複数の実施形態は、以下の複数の特徴の１つ又はそれ以上を備えて良く：
前記単一の圧縮部が、作業流体の為の幾つかの圧力水準を規定している複数の圧縮機械を備えている、
１つの圧力水準から続きのより高い圧力水準への通路は、１つ又はそれ以上の直列の圧縮機械を介し又は並列に配置されている幾つかの圧縮機械を介し達成されている、
少なくとも１つの圧力水準から続きのより高い圧力水準への通路は、並列に配置されている２つの圧縮機械を介して達成されていて、油除去システムが２つの圧縮機械からの出口に配置されていて、油除去システムが、並列に配置されている２つの圧縮機械に共通の単一の油除去部材又は並列に配置されている２つの圧縮機械に夫々割り当てられている２つの油除去部材の何れかを備えている、
最後の圧縮水準からの出口、即ち冷却室へと流体を供給している流体連結の前、に配置された少なくとも１つの最後の油除去システムからの出口に配置されている少なくとも１つの最後の油除去システムを備えている、
１つの圧縮機械の下流で作業流体を冷却する為の少なくとも１つの交換機を備えている、
前記設備が圧縮部の入口での流体の圧力水準以上の３つの増大している圧力水準を規定している３つの圧縮機械を備えていて、第１及び第２の圧縮機械は直列に配置されているともにそれ等の個々の流体出口での圧力水準を「低い」及び「高い」と規定していて、第３の圧縮機械は低い水準と高い水準との間の中間のいわゆる「中間」圧力水準で複数の冷却室から出される流体がその入口で供給されていて、第３の圧縮機械はその流体出口ではまた「高い」圧力水準を規定している、
前記設備が第２の圧縮機械と並列に配置されている第４の圧縮機械を備えていて、第４の圧縮機械の出口が第３の圧縮機械の入口に連結されている、
第３の圧縮機械及び第２の圧縮機械の出口が同じ高い圧力水準を規定している共通地点に連結されている、
第３の圧縮機械の出口及び第２の圧縮機械の出口が、流体の為の個々の別の複数の高い圧力水準を規定している別の複数の場所で少なくとも１つの冷却室に連結されている。
【００１２】
この発明のもう１つの目的は、単一の冷却機／液化機又は並列に配置されている幾つかの冷却機／液化機による同じ適用対象の為の冷却設備を提供することであり、単一の冷却機／液化機又は複数の冷却機／液化機は低モル質量を有している、即ち純粋なガス状ヘリウムの如き１０ｇ／モル以下の平均全体モル質量を有している、同じ性質の作業ガスを使用していて、個々の冷却機／液化機は作業ガスを圧縮する為の圧縮部を備えていて、冷却室が圧縮部から排出された作業ガスを冷却することを意図されていて、複数の冷却機／液化機の複数の冷却室の夫々により冷却された作業ガスが適用対象へと冷気を供給する為に適用対象で熱交換され、そこにおいては単一の圧縮部が単一の冷却機／液化機又は複数の冷却機／液化機の複数の圧縮部の夫々の為の作業ガスの圧縮を提供していて、圧縮部が油潤滑されているスクリュー型の複数の圧縮機械及び複数の圧縮機械から排出された作業流体から油を除去する為の複数のシステムのみを備えていて、そして前記圧縮部が作業流体の為の幾つかの圧力水準を規定している複数の圧縮機械を備えていて、１つの圧力水準から続きのより高い圧力水準への通路は、１つ又はそれ以上の直列の圧縮機械を介し又は並列に配置されている幾つかの圧縮機械を介し達成されており、圧縮部は圧縮部の入口での流体の圧力水準以上の少なくとも２つの増大している圧力水準を規定している少なくとも２つの圧縮機械を備えていて、２つの主要な圧縮機械が直列に配置されているともにそれ等の個々の流体出口での圧力水準を「低い」及び「高い」と規定していて、もう１つの第２の圧縮機械は複数の冷却室から低い圧力水準と高い圧力水準との間の中間のいわゆる「中間」圧力水準で出される流体がその入口で供給されていて、この第２の圧縮機械はその流体出口ではまた「高い」圧力水準を規定している。
【００１３】
他の可能な特徴に従えば、
第２の圧縮機械の及び主要な圧縮機械の出口は、同じ高い圧力水準を規定している共通のパイプに連結されていて、
第２の圧縮機械の及び主要な圧縮機械の出口は、流体の為の個々に別の高い圧力水準を規定している別の複数の場所で少なくとも１つの冷却室に連結されている。
【００１４】
この発明はまた、並列に配置されている幾つかの冷却機／液化機を備えている冷却及び／又は液化設備により同じ適用対象を冷却する為の方法にも関係していて、並列な複数の冷却機／液化機は低モル質量を有している、即ち純粋なガス状ヘリウムの如き１０ｇ／モル以下の平均全体モル質量を有している、同じ性質の作業ガスを使用していて、個々の冷却機／液化機は作業ガスを圧縮する為の圧縮部を備えており、個々の冷却室が圧縮部から排出された作業ガスを冷却することを意図されていて、複数の冷却機／液化機の複数の冷却室の夫々により冷却された作業ガスが適用対象へと冷気を供給する為に適用対象で熱交換され、そこにおいては単一の圧縮部が並列に配置されている複数の冷却機／液化機の複数の個々に分離した冷却室の夫々の為の作業ガスを圧縮し、単一の圧縮部が油潤滑されているスクリュー型の複数の圧縮機械及び複数の圧縮機械から排出された作業流体から油を除去する為の複数のシステムのみを備えていて、その結果として複数の圧縮機械及び複数の油除去システムが並列に配置されている複数の冷却機／液化機により共有されている。
【００１５】
他の可能な特徴に従えば、
冷却される適用対象の熱負荷が変動した時、前記設備の出力変動は共通の圧縮部の複数の圧縮機の幾つかのみの態勢（regime）を変動させることにより達成される、
並列の冷却機／液化機により冷却された適用対象は同じ室中に配置されていて、冷却された複数の超伝導要素を備えている。
【００１６】
この発明はまた、上記したまた以下の複数の特徴の如何なる組み合わせを備えている代わりの装置又は方法に関係している。
【００１７】
他の特徴及び利点は、図面を参照した以下の記載を読むことから明らかになる。
【図面の簡単な説明】
【００１８】
【図１】図１は、この発明に従っている設備の構成及び機能を簡易化されている形態で示している。
【図２】図２は、この発明に従っている第１実施形態の構成及び機能を図示している部分的な概略図を示している。
【図３】図３は、この発明に従っている第２実施形態の構成及び機能を図示している部分的な概略図を示している。
【図４】図４は、この発明に従っている第３実施形態の構成及び機能を図示している部分的な概略図を示している。
【発明を実施するための形態】
【００１９】
図１中に概略的に示されている冷却設備は、同じ物理的な実体（即ち、同じ適用対象１）を冷却する、並列に配置されている幾つかの冷却機／液化機（Ｌ／Ｒ）を備えている。
【００２０】
並列に配置されている複数の冷却機／液化機は低モル質量を有している、即ち例えば純粋なガス状ヘリウムの如き１０ｇ／モル以下の平均全体モル質量を有している、同じ性質の作業ガスを使用する。
【００２１】
個々の冷却機／液化機（Ｌ／Ｒ）は、作業ガスを圧縮する為の圧縮部２及び圧縮部２から排出される作業ガスを冷却することを意図されている冷却室３を使用する。複数の冷却機／液化機（Ｌ，Ｒ）の個々の冷却室３の夫々に冷却された作業ガスは、適用対象に対し冷気を供給する為に適用対象１と、分配回路１１を介し、熱交換される。
【００２２】
特に好ましいことに従えば、単一の圧縮部２が、並列に配置されている複数の冷却機／液化機Ｌ／Ｒの分離した個々の複数の冷却室３の夫々の為の作業ガスを圧縮する。
【００２３】
圧縮部２は、適用時に、作業流体を貯蔵する為のいわゆる「熱い」緩衝器１２に連結されて良い。もう１つの特に好ましいことに従えば、単一の圧縮部２は、油潤滑されているスクリュー型の複数の圧縮機械及び複数の圧縮機械からの出口で作業流体から油を除去する為の複数のシステムのみを備えている。このようであれば、複数の圧縮機械（油潤滑されているスクリュー圧縮機）及び複数のシステムが、並列に配置されている複数の冷却機／液化機により供給される。
【００２４】
この構成は、作業流体を圧縮する為に必要な機械の数及び装置の種類を制限することを可能にする。
【００２５】
これはまた、圧縮機の制限されている数を超えた負荷における変動を適切な調整手段（例えば、周波数変調器，調整器弁，その他）で集中させることを可能にする。
【００２６】
さらには、これはまた、適用時に、複数の冷却サイクルによるよりもむしろ、圧縮機の型により又機能（冷却サイクル及び／又は消費者供給）により複数の圧縮部分をグループ化ことを可能にする。
【００２７】
その構造はまた、適用時に、機能毎に又は圧縮段階毎に幾つかの流体サイクル圧力を提供することを可能にする。
【００２８】
図２は、この発明に従っている第１の可能な実施形態を図示している。図２中から見ることが出来る如く、単一の共通な圧縮部２は、作業流体の為の幾つかの圧力水準ＶＬＰ，ＬＰ，ＭＰ，ＨＰ，ＨＰ１，ＨＰ２を規定している複数の圧縮機械ＥＣ１，ＥＣ２，ＥＣ３を備えている。
【００２９】
圧縮部２の入口では、１つ又はそれ以上の冷却室３から出されている流体が、いわゆる「非常に低い」圧力（ＶＬＰ）で到着する。この非常に低い水準の圧力は適用対象１に従っていて、そして、この非常に低い圧力水準は幾つかの適用対象の為には出現しなくても良い（即ち、圧縮部における第１圧縮水準は「低い」と呼ばれていて、即ち、以下に言及されている範囲中に含まれている）。第１の圧縮機械ＥＣ１は、非常に低い圧力ＶＬＰよりも高いいわゆる「低い」圧力（ＬＰ）への作業流体における圧力上昇を提供する。この第１の圧縮機械ＥＣ１からの出口では、流体が油除去部材４中で油除去されて良く、そして次に熱交換機５において冷却される。第１の圧縮機械ＥＣ１の出口は次に、基礎圧力ＬＰから高い圧力ＨＰへと流体を圧縮する第２の圧縮機械ＥＣ２の入口に連結されている。この第２の圧縮機械ＥＣ２の入口はまた、複数の冷却室３から発せられているこの低い圧縮水準ＬＰで流体を受ける。上に記載されている如く、この第２の圧縮機械ＥＣ２からの出口では、流体が油除去部材４中で油除去されて良く、そして次に熱交換機５において冷却される。複数の冷却室３へと戻る以前に、流体は最後の油除去システム１４において最後のさらなる精選された油除去にさらされて良い。第３の圧縮機械ＥＣ３が圧縮部２中に配置されている。この第３の圧縮機械ＥＣ３はその入口において、低いＬＰ水準と高いＨＰ水準との間の中間のいわゆる「中間」圧力ＭＰで複数の冷却室３からの流体が供給される。この第３の圧縮機械ＥＣ３はまた、その流体出口で作業流体の為の「高い」圧力水準ＨＰを規定している。この第２の圧縮機械ＥＣ２からの出口では、流体が油除去部材４中で油除去されて良く、そして次に熱交換機５において冷却される。高い圧力の作業流体は、最後の油除去システム１４の上流に注入される（パイプが第２の圧縮機械ＥＣ２の出口に連結されている）。
【００３０】
この結果は従って、低い圧力ＬＰと高い圧力ＨＰとの間で幾つかの油潤滑されているスクリュー圧縮機械を組み合わせていて、そしてさらには、中間圧力ＭＰと同じ高い圧力ＨＰとの間の圧縮水準を有する。
【００３１】
この構成は、特に低圧力ＬＰと高圧力ＨＰとの間のサイクルの部分において、最初の油取扱いシステム４（最後の油除去１４以前の油除去システム４）の寸法を減少させる利点を有する。この構成はまた、回路のこの部分（特に、中間圧力ＭＰと高い圧力ＨＰとの間）において可能な流量と圧力における変動に対する柔軟性を保つことを同時に可能にしている。
【００３２】
他方、この解決は、組み合わされた複数の圧縮機械が相互に関連していて変動を制御することがより困難であるので、低い圧力ＬＰにおける作業流体の流量を変動させる可能性に関しては柔軟性が低い。
【００３３】
圧縮機械により実行される複数の圧縮段階の夫々は、もちろん、並列に配置された２つ（又はそれ以上）の圧縮機により交換されて良い。これは、必要な作業流体の流量次第で、個々の圧縮水準が並列に配置されている幾つかの圧縮機中に分けられても良いからである。この場合には、複数の最初の油取扱い（油除去）及び冷却システムが、幾つかの圧縮機に対し共通であるか又は個々に振り分けられて良い。
【００３４】
非常に低い圧縮水準ＶＬＰ及び第１の圧縮機械ＥＣ１の圧縮比に従い、第１の圧縮機械ＥＣ１の出口はまた、いわゆる「中間」圧縮水準ＭＰで、第３の圧縮機械ＥＣ３の入口に連結されて良い。構成の残りは同じままである。
【００３５】
図３中における変化は、図１中におけるものから、設備が第２の圧縮機械ＥＣ２と並列に配置されている第４の圧縮機械ＥＣ１２を備えていることにより区別される。第２の圧縮機械ＥＣ２に関するのと同様に、第４の圧縮機械ＥＣ１２の流体入口は、第１の圧縮機械ＥＣ１の出口及び複数の冷却室３からのこの低い圧力の流体入口の両方に連結されている。第４の圧縮機械ＥＣ１２の出口は、その部分が第３の圧縮機械ＥＣ３の入口に連結されている（第３の圧縮機械ＥＣ３の入口はまた、複数の冷却室からの流体を中間圧力ＭＰで受ける）。
【００３６】
以前の如く、並列の第２ＥＣ２及び第４ＥＣ１２圧縮機械は夫々が、それらの出口に、割り当てられた油除去システム４及び割り当てられた熱交換機５を有して良い。変形例では、これら複数の油除去システム４及び熱交換機５が共通にされて良く、従って共有されて良い。
【００３７】
前の如く、要求されている作業流体流量に従い、個々の圧縮水準は並列に配置されている幾つかの機械（複数の圧縮機）へと振り分けられて良い。
【００３８】
また以前の如く、この解決は、低い圧力ＬＰと高い圧力ＨＰとの間の幾つかの圧縮機を組み合わせ、そしてさらに、中間の圧力ＭＰと同じ高い圧力ＨＰとの間の圧縮水準を提供する。
【００３９】
しかしながら図３の場合には、低い圧力ＬＰで作業流体の流れの一部分が、流体を中間の圧力ＭＰへのみ圧縮する複数の圧縮機械ＥＣ１２を通過する。
【００４０】
複数の後者の圧縮機械ＥＣ１２は、低い圧力の流体の流量における変動に対し反応する為に、複数の速度変化器が設けられて良い。低い圧力ＬＰと中間の圧力ＭＰとの間の流体の循環はまた、負荷における変動に対し反応する為に可能である。
【００４１】
低い圧力ＬＰと高い圧力ＨＰとの間に組み合わされた単一の圧縮機又は複数の圧縮機ＥＣ２は、一定の流量及び負荷（適用対象１）における変動からの独立を伴い機能する。流量及び圧力における変動は、非常に低い入力圧力ＶＬＰとより高い水準（ＬＰ→ＭＰ→ＨＰ）との間である限り複数の圧縮機ＥＣ１，ＥＣ２，ＥＣ３のグループにより吸収される。
【００４２】
図４中における変形例は、図３中のものから、第３の圧縮機械ＥＣ３及び第２の圧縮機械ＥＣ２の出口が、流体の為の個々の別の高い圧力水準ＨＰ１，ＨＰ２を規定している複数の分離した位置で少なくとも１つの冷却室３に連結されていることのみにより区別されている。さらには、図４中には、第４の圧縮機械ＥＣ１２及びその下流の複数の部材（油除去ユニット４及び熱交換機５）を備えている導管が、（その追加の特徴をより良く示す為に）点線により示されている。
【００４３】
図４のこの構成においては、第３ＥＣ３及び第２ＥＣ２の圧縮機械の夫々の高圧出口ＨＰ１，ＨＰ２が、個々の熱交換機５の下流に、個々の最後の油除去部材１４を備えている。２つの通路間の圧力における差異の故に、２つの最後の油除去システム１４が実際には必須である。
【００４４】
前の如く、低い圧力ＬＰでの流体の流れの一部分が高い圧力ＨＰ２へと直接的に圧縮されている。図４中におけるこの構成においては、この高い圧力ＨＰ２が、中間圧力ＭＰと高い圧力ＨＰ１との間に圧縮する複数の圧縮機の出口で得られる高い圧力ＨＰ１から独立している。
【００４５】
この特性はまた、種々の圧縮段階の圧縮機の種々の型の寸法及び効率を最高にすることを可能にする。
【００４６】
２つの高い圧縮水準ＨＰ１及びＨＰ２における夫々の結果としての複数の回路上の流体の流量及び圧力における変動は従って、より独立して取り扱われることが出来る。
【００４７】
中間の圧力ＭＰと高い圧力ＨＰ１との間の圧縮段階を備えている回路は、一般的に、そのシステムの冷却源である複数の冷却室３のサイクルの圧力低下タービンの主要部分を提要する。従って、このサイクルの変動は、複数の冷却機／液化機Ｌ／Ｒの冷却能力の直接の変動を許容する。
【００４８】
他方、第２の圧縮機械ＥＣ２から出されている高い圧力流体回路ＨＰ２は、このサイクルの冷たい端で適用対象１及び／又はジュール―トムソン（Joule-Thompson）型の冷却の膨張回路を供給する為に使用されることが好ましい。
【００４９】
この発明は特に、ヘリウム又は希ガスを使用している高い液化又は冷却能力を伴っているいかなる冷却／液化ユニットに対し適用して良い。
【００５０】
限定的ではない例（３つの圧縮段階を伴っているが４つの圧力水準を規定している）によれば、複数の圧縮段階の個々の圧力段階、非常に低いＶＬＰ，低いＬＰ，中間ＭＰ，そして高いＨＰ、は、作業ガスの対応している複数の圧縮比及び複数の流量とともに、以下の範囲中に含められて良い。
【表１】
0006030137.tif 000002
【００５１】
図示されていた種々の実施形態における圧縮段階の状況は、（並列な幾つかであるよりもむしろ）単一の液化機／冷却機を使用している設備にもまた有利に適用できる。
【図１】
0006030137.tif 000003
【図２】
0006030137.tif 000004
【図３】
0006030137.tif 000005
【図４】
0006030137.tif 000006